(57)【要約】【課題】ボルト頭部の外周面に当てるように折り曲げる箇所を多くすることで、誤った曲げ方を回避することができ、回転機器の回転の遠心力が作用しても廻り止め機能を維持でき、ボルトの脱落事故を防止する。【解決手段】回転子付属機器６１に締結する２本のボルト５２を挿通させる貫通孔２を板材に開けた金属製のワッシャ本体３と、ワッシャ本体３の各貫通孔２の周縁に複数形成した曲折片４と、から成り、各貫通孔２にそれぞれボルト５２を挿通し、ボルト５２を締め付け、１個のボルト５２の頭部の外周面に２以上の曲折片４を立ち上げるように曲折して密着させ得るように構成した。【選択図】図２
2012163150.tif 000002
【特許請求の範囲】
【請求項１】
高速回転機の回転子付属機器（６１）の取付けに用いるボルトロックワッシャ（１）であって、
前記回転子付属機器（６１）に締結する２本のボルト（５２）を挿通させる貫通孔（２）を板材に開けた金属製のワッシャ本体（３）と、
前記ワッシャ本体（３）の各貫通孔（２）の周縁に複数形成した曲折片（４）と、から成り、
各貫通孔（２）にそれぞれボルト（５２）を挿通し、該ボルト（５２）を締め付け、１個のボルト（５２）の頭部の外周面に２以上の曲折片（４）を立ち上げるように曲折して密着させ得るように構成した、ことを特徴とする回転子付属機器に用いるボルトロックワッシャ。
【請求項２】
前記ワッシャ本体（３）の各貫通孔（２）の周縁に、２箇所ずつ曲折片（４）を形成した、ことを特徴とする請求項１の回転子付属機器に用いるボルトロックワッシャ。
【請求項３】
前記ワッシャ本体（３）は、細長い部材の両側に円形状の板材（５）を形成し、各円形状の板材（５）に貫通孔（２）を開け、円形状の板材（５）の両端からそれぞれ外方に向けて曲折片（４）を形成したものである、ことを特徴とする請求項１又は２の回転子付属機器に用いるボルトロックワッシャ。
【請求項４】
前記ワッシャ本体（３）は、長円形状の板材からなり、その長手方向の両側に貫通孔（２）を開け、両長円形状の板材の両端にそれぞれ外方に向けて曲折片（４）を形成した、ことを特徴とする請求項１又は２の回転子付属機器に用いるボルトロックワッシャ。
【請求項５】
高速回転機の回転子付属機器（６１）の取付けに用いるボルトロックワッシャ（２１）であって、
前記回転子付属機器（６１）に締結する２本のボルト（５２）を挿通させる貫通孔（２２）を板材に開けた金属製のワッシャ本体（２３）と、
各貫通孔（２２）の近傍に、このワッシャ本体（２３）の長手方向に向けて入れた切り込み（２４）と、から成り、
各貫通孔（２２）にそれぞれボルト（５２）を挿通し、該ボルト（５２）を締め付け、１個のボルト（５２）の頭部の外周面に、切り込み（２４）で分割されたワッシャ本体（２３）の２か所の角片（２６，２７）を立ち上げるように曲折して密着させ得るように構成した、ことを特徴とする回転子付属機器に用いるボルトロックワッシャ。
【請求項６】
高速回転機の回転子付属機器（６１）の取付けに用いるナットのロックワッシャ（１）であって、
前記回転子付属機器（６１）に締結する２本のボルトを挿通させる貫通孔（２）を板材に開けた金属製のワッシャ本体（３）と、
前記ワッシャ本体（３）の両貫通孔（２）の周縁に形成した曲折片（４）と、から成り、
各貫通孔（２）にそれぞれボルトを挿通して、そのまま該ボルトにナットを締め付け、このナットの外周面に前記曲折片（４）を立ち上げるように曲折して密着させ得るように構成した、ことを特徴とする回転子付属機器に用いるボルトロックワッシャ。
【発明の詳細な説明】
【技術分野】
【０００１】
本発明は、ボルトの緩み止めに用いるボルトロックワッシャに係り、特に大型高速回転機の回転子付属機器の取付けに使用する回転子付属機器に用いるボルトロックワッシャに関する。
【背景技術】
【０００２】
従来、発電所などのタービン発電機回転子付属機器、例えばファンブレードのような回転子付属機器の取付けに際して、ボルトロックワッシャ５１を用いている。このボルトロックワッシャ５１には、図７（ａ），（ｂ）に示すような角状平ワッシャを使用している。図示例のボルトロックワッシャ５１は、ニッ穴座金方式のものである。このボルトロックワッシャ５１は、２箇所のボルト５２の緩み止めに用いるため、長方形状の金属製のワッシャ本体５３にボルト５２のねじ部を挿通させる貫通孔５４を２箇所開けた部材である。
【０００３】
このボルトロックワッシャ５１は、図８（ａ）と図９（ａ）に示すように、回転子付属機器６１をボルト５２で締結する際に、２本のボルト５２をそれぞれの貫通孔５４に通した状態で、回転子付属機器６１に締め付ける。その後、図８（ｂ）と図９（ｂ）に示すように、締め付けた各ボルト５２の頭部の外周面に、ボルトロックワッシャ５１の角部５５を立ち上げるように曲折して、各ボルト５２頭部に密着させ、緩み止め作用を奏するようにしている。
【０００４】
図１０に示すような大型発電機の回転子付属機器６１は、高速で回転する装置である。そこで、ボルトロックワッシャ５１の角曲げの際には、図１１に示すように、両側の角部５５を平行に折り曲げている。このように角部５５を折り曲げることにより、高速回転の遠心力で曲げた角部５５が両側共に戻らないようにして廻り止め機能を維持させるようにしている。
【０００５】
このようなボルトに対するワッシャの係合を確実化し、緩み止め機能の信頼性を向上させる技術に関しては種々提案されている。例えば特許文献１の実開平５−６９４１１号公報「ロックナットの緩み止めワッシャ」に示すように、外周面の一部を切除して形成された平面を有する回転軸の軸端に嵌着された部材の脱落を防止する６角ナットの緩み止めを実施するためのワッシャを、軸端の断面輪郭に対する補完的形状をなす係合孔と、軸端の平面に密接し得るように係合孔の内周に形成された舌片と、６角ナットの平面部に向けて折り曲げられる外周部とを有するものとすることによって達成されるロックナットの緩み止めワッシャが提案されている。
【先行技術文献】
【特許文献】
【０００６】
【特許文献１】実開平５−６９４１１号公報
【発明の概要】
【発明が解決しようとする課題】
【０００７】
従来のボルトロックワッシャ５１は、単純な長方形状の板材（ワッシャ本体５３）の角（角部５５）を曲げるだけである。そこで、大型高速回転機の回転子付属機器６１の取付けの作業に際して、この角（角部５５）を誤った曲げ方をすることがあった。例えば、図１２に示すように、両側の角部５５がハ字形状になるように間違って折り曲げたボルトロックワッシャ５１では、回転の遠心力で曲げた箇所が両側共に戻る可能性があり、廻り止め機能を失う可能性が高いという問題を有していた。
【０００８】
また、特許文献１の「ロックナットの緩み止めワッシャ」では、１個の６角ナットに取り付けるワッシャであるために、ナットと共にワッシャが回転して緩みやすいという問題は有していた。
【０００９】
本発明は、かかる問題点を解決するために創案されたものである。すなわち、本発明の目的は、ボルト頭部の外周面に当てるように折り曲げる箇所を多くすることで、誤った曲げ方を回避することができ、回転機器の回転の遠心力が作用しても廻り止め機能を維持でき、ボルトの脱落事故を防止できる回転子付属機器に用いるボルトロックワッシャを提供することにある。
【課題を解決するための手段】
【００１０】
本発明は、高速回転機の回転子付属機器（６１）の取付けに用いるボルトロックワッシャ（１）であって、前記回転子付属機器（６１）に締結する２本のボルト（５２）を挿通させる貫通孔（２）を板材に開けた金属製のワッシャ本体（３）と、前記ワッシャ本体（３）の各貫通孔（２）の周縁に複数形成した曲折片（４）と、から成り、各貫通孔（２）にそれぞれボルト（５２）を挿通し、該ボルト（５２）を締め付け、１個のボルト（５２）の頭部の外周面に２以上の曲折片（４）を立ち上げるように曲折して密着させ得るように構成した、ことを特徴とする。
【００１１】
例えば、前記ワッシャ本体（３）の各貫通孔（２）の周縁に、２箇所ずつ曲折片（４）を形成した。
前記ワッシャ本体（３）は、細長い部材の両側に円形状の板材（５）を形成し、各円形状の板材（５）に貫通孔（２）を開け、円形状の板材（５）の両端からそれぞれ外方に向けて曲折片（４）を形成したものである。
前記ワッシャ本体（３）は、長円形状の板材からなり、その長手方向の両側に貫通孔（２）を開け、両長円形状の板材の両端にそれぞれ外方に向けて曲折片（４）を形成したものである。
【００１２】
また、本発明は、高速回転機の回転子付属機器（６１）の取付けに用いるボルトロックワッシャ（２１）であって、前記回転子付属機器（６１）に締結する２本のボルト（５２）を挿通させる貫通孔（２２）を板材に開けた金属製のワッシャ本体（２３）と、各貫通孔（２２）の近傍に、このワッシャ本体（２３）の長手方向に向けて入れた切り込み（２４）と、から成り、各貫通孔（２２）にそれぞれボルト（５２）を挿通し、該ボルト（５２）を締め付け、１個のボルト（５２）の頭部の外周面に、切り込み（２４）で分割されたワッシャ本体（２３）の２か所の角片（２６，２７）を立ち上げるように曲折して密着させ得るように構成した、ことを特徴とする。
【００１３】
更に、本発明は、高速回転機の回転子付属機器（６１）の取付けに用いるナットのロックワッシャ（１）であって、前記回転子付属機器（６１）に締結する２本のボルトを挿通させる貫通孔（２）を板材に開けた金属製のワッシャ本体（３）と、前記ワッシャ本体（３）の両貫通孔（２）の周縁に形成した曲折片（４）と、から成り、各貫通孔（２）にそれぞれボルトを挿通して、そのまま該ボルトにナットを締め付け、このナットの外周面に前記曲折片（４）を立ち上げるように曲折して密着させ得るように構成した、ことを特徴とする。
【発明の効果】
【００１４】
上記発明では、ボルトロックワッシャ（１）の各貫通孔（２）にそれぞれボルト（５２）を挿通して、そのままボルト（５２）を締め付ける。このボルト（５２）の頭部の外周面に曲折片（４）を立ち上げるように曲折して密着させる。このように、折り曲げる曲折片（４）が明確になっているので、従来のような曲折片（４）の曲げ方を誤ることがない。
【００１５】
そこで、大型高速回転機の回転子付属機器（６１）の回転の遠心力が作用しても、戻ることがない曲折片（４）によりボルト（５２）の廻り止め機能を失うことはない。これにより、ボルト（５２）の脱落事故を回避できる。
【図面の簡単な説明】
【００１６】
【図１】実施例１のボルトロックワッシャを示し、（ａ）は平面図、（ｂ）は正面図である。
【図２】実施例１のボルトロックワッシャにボルトを締め付けた状態を示す平面図であり、（ａ）は曲折片を折り曲げる前の状態、（ｂ）は曲折片を折り曲げた状態である。
【図３】実施例１のボルトロックワッシャにボルトを締め付けた状態を示す一部断面にした正面図であり、（ａ）は曲折片を折り曲げる前の状態、（ｂ）は曲折片を折り曲げた状態である。
【図４】実施例１のボルトロックワッシャの曲折片を折り曲げる他の状態を示す平面図であり、（ａ）は曲折片を折り曲げる前の状態、（ｂ）は曲折片を折り曲げた状態である。
【図５】実施例１のボルトロックワッシャの変形例を示す平面図である。
【図６】実施例２のボルトロックワッシャを示す平面図であり、（ａ）はボルトに締め付ける前の状態、（ｂ）は角片を折り曲げた状態である。
【図７】従来のボルトロックワッシャを示し、（ａ）は平面図、（ｂ）は正面図である。
【図８】従来のボルトロックワッシャにボルトを締め付けた状態を示す平面図であり、（ａ）は角部を折り曲げる前の状態、（ｂ）は角部を折り曲げた状態である。
【図９】従来のボルトロックワッシャにボルトを締め付けた状態を示す一部断面にした正面図であり、（ａ）は角部を折り曲げる前の状態、（ｂ）は角部を折り曲げた状態である。
【図１０】ボルトロックワッシャを用いて回転子付属機器がボルトで取り付けられた高速回転機を示す一部斜視図である。
【図１１】両側の角部を平行に折り曲げた従来のボルトロックワッシャの一方の角部が遠心力で戻った状態を示す平面図である。
【図１２】従来のハ字形状に間違って折り曲げたボルトロックワッシャの両角部が遠心力で戻った状態を示す平面図である。
【発明を実施するための形態】
【００１７】
本発明は、高速回転機の回転子付属機器の取付けるボルトの緩み止めに用いるために、ボルトを挿通させる貫通孔の周囲に複数の曲折片を形成したボルトロックワッシャである。
【実施例１】
【００１８】
以下、本発明の実施の形態を図面を参照して説明する。
図１は実施例１のボルトロックワッシャを示し、（ａ）は平面図、（ｂ）は正面図である。
実施例１のボルトロックワッシャ１は、回転子付属機器６１に締結する２本のボルト５２を挿通させる貫通孔２を開けたワッシャ本体３と、このワッシャ本体３の両貫通孔２の周縁に形成した曲折片４とから成るワッシャである。このワッシャ本体３は、細長い部材の両側に円形状の板材を形成し、各円形状の板材に貫通孔２を開けた部材である。ワッシャ本体３は、その曲折片４を折り曲げやすい厚みが望ましい。但し、回転子付属機器６１の高速回転による遠心力で容易に変形しない程度の厚みは必要である。金属の材質、鍛造法などの製造方法に応じてこの厚みが決定される。
【００１９】
ワッシャ本体３の円形状の板材５に、それぞれ外方、図示上では長手方向の両端側に向けて２箇所ずつ曲折片４を形成した。両曲折片４は、一方の円形状の板材５において、貫通孔２の中心点部分で約６０度の開き角度になるように形成している。これは、本発明のボルトロックワッシャ１は６角ボルトの頭部に密着するように折り曲げるためである。但し、一方の円形状の板材５の周囲から外方に向けて２箇所ずつ曲折片４を形成するものであれば、この角度に限定されない。６角ボルト以外に用いるときは、その頭部の角度に応じて両曲折片４の開き角度が決定される。
【００２０】
図２は実施例１のボルトロックワッシャにボルトを締め付けた状態を示す平面図であり、（ａ）は曲折片を折り曲げる前の状態、（ｂ）は曲折片を折り曲げた状態である。図３は実施例１のボルトロックワッシャにボルトを締め付けた状態を示す一部断面にした正面図であり、（ａ）は曲折片を折り曲げる前の状態、（ｂ）は曲折片を折り曲げた状態である。
実施例１のワッシャ本体３は、図２（ａ）、図３（ａ）に示すように、各貫通孔２にそれぞれボルト５２を挿通して、そのままボルト５２を締め付ける。次に、図２（ｂ）、図３（ｂ）に示すように、このボルト５２の頭部の外周面に曲折片４を立ち上げるように曲折して密着させる。
【００２１】
実施例１のボルトロックワッシャ１の曲折片４を折り曲げることにより、ボルト５２の廻り止めとなる。大型高速回転機の回転子付属機器６１の回転の遠心力によって廻り止め機能を失う可能性がある。しかし、図２（ｂ）に示すように図示の上方へ遠心力（矢視線）が作用するときに、下側の２か所の曲折片４は戻ることがなく、ボルト５２の廻り止め機能を失うことはない。
【００２２】
図４は実施例１のボルトロックワッシャの曲折片を折り曲げる他の状態を示す平面図であり、（ａ）は曲折片を折り曲げる前の状態、（ｂ）は曲折片を折り曲げた状態である。
ボルトロックワッシャ１にボルト５２を締め付けるときは、図１〜図３に図示したように、ボルト５２の頭部の締付け角部が常に同じ方向に位置することは稀である。図４（ａ）に示すように、ボルト５２の締付け角度は微妙に違うことが多い。本発明のボルトロックワッシャ１では、曲折片４をワッシャ本体３から立ち上げるように曲げるが、更にこの曲折片４の先端部をボルト５２の頭部の外周面に密着するように捻ることができる。そこで、このように折り曲げることにより、ボルト５２の廻り止め機能が減殺されないようにできる。
【００２３】
図５は実施例１のボルトロックワッシャの変形例を示す平面図である。
実施例１のボルトロックワッシャ１は、図５に示すようにワッシャ本体３が長円形状の板材からなり、その長手方向の両側に貫通孔２を開け、両長円形状の板材の両端にそれぞれ外方に向けて２箇所ずつ曲折片４を形成したものでもよい。各貫通孔２の周囲に２箇所ずつ曲折片４を形成する。
【００２４】
更に、図示していないが、実施例１のボルトロックワッシャ１は、ワッシャ本体３を、長円形状の板材に代えて、長い６角形状の板材からなり、その長手方向の両側に貫通孔２を開け、その板材の両端にそれぞれ外方に向けて２箇所ずつ曲折片４を形成したものでもよい。このような実施例１の変形例のボルトロックワッシャ１は、上述した構造のものと同様な方法で大型高速回転機の回転子付属機器６１に取り付けて使用する。
【実施例２】
【００２５】
図６は実施例２のボルトロックワッシャを示す平面図であり、（ａ）はボルトに締め付ける前の状態、（ｂ）は角片を折り曲げた状態である。
実施例２のボルトロックワッシャ２１は、図６（ａ）に示すように、長方形状の金属製のワッシャ本体２３にボルト５２のねじ部を挿通させる貫通孔２２を２箇所開けた部材であり、各貫通孔２２の近傍に、このワッシャ本体２３の長手方向に向けて、切り込み２４を入れてある。この切り込み２４の貫通孔２２側には、この貫通孔２２まで裂けるのを防止する小さい丸孔２５も形成してある。この切り込み２４により、ワッシャ本体２３の図示上の上側角片２６と下側角片２７が立ち上げるように曲げることができる。これらの上側角片２６と下側角片２７は便宜的に表現したもので、ボルトロックワッシャ２１の上下を逆に配置したときは逆の表現になる。あるいはボルトロックワッシャ２１を９０度回転して取り付けるときは、右側角片と左側角片になる。
【００２６】
実施例２のボルトロックワッシャ２１は、図６（ｂ）に示すように、各貫通孔２２にそれぞれボルト５２を挿通して、そのままボルト５２を締め付ける。次に、このボルト５２の頭部の外周面に上側角片２６と下側角片２７を立ち上げるように曲折して密着させる。
【００２７】
上述した実施例は、ボルトロックワッシャ１，２１は文字通り、ボルト５２の頭部の緩み止めとして機能するものである。このボルト５２の頭部に代えて、ボルトに締め付けたナットの緩み止めとして機能させるように用いることも可能である。
【００２８】
なお、本発明は、ボルト５２の頭部の外周面に当てるように折り曲げる曲折片４を多く設けることで、誤った曲げ方を回避することができ、機器の回転の遠心力によって廻り止め機能を維持でき、ボルト５２の脱落事故を防止できれば、上述した発明の実施の形態に限定されず、本発明の要旨を逸脱しない範囲で種々変更できることは勿論である。
【産業上の利用可能性】
【００２９】
本発明の回転子付属機器に用いるボルトロックワッシャは、発電所などのタービン発電機回転子付属機器に限定されず、その他の回転機器などに利用することができる。
【符号の説明】
【００３０】
１  ボルトロックワッシャ
２  貫通孔
３  ワッシャ本体
４  曲折片
５  円形状の板材
２１  ボルトロックワッシャ
２２  貫通孔
２３  ワッシャ本体
２４  切り込み
２６，２７  角片
５２  ボルト
６１  回転子付属機器
【図１】
2012163150.tif 000003
【図２】
2012163150.tif 000004
【図３】
2012163150.tif 000005
【図４】
2012163150.tif 000006
【図５】
2012163150.tif 000007
【図６】
2012163150.tif 000008
【図７】
2012163150.tif 000009
【図８】
2012163150.tif 000010
【図９】
2012163150.tif 000011
【図１０】
2012163150.tif 000012
【図１１】
2012163150.tif 000013
【図１２】
2012163150.tif 000014